(57)【要約】【課題】  高さ寸法が異なる複数の物品を単一の物品包装容器内に安定した状態で収容する。【解決手段】  高さ寸法が異なる大形容器２１と複数の小形容器２２とを容器本体２内に収容し、大形容器２１の下端側を容器保持部材６の大形物品嵌合凹部７によって保持すると共に、各小形容器２２の下端側を容器保持部材６の小形物品嵌合凹部８によって保持した状態で、容器本体２内に中蓋１４を挿嵌する。これにより、中蓋１４の大形物品押え１５と容器保持部材６の大形物品嵌合凹部７との間で大形容器２１を安定して保持することができ、かつ、中蓋１４の小形物品押え１８と容器保持部材６の小形物品嵌合凹部８との間で各小形容器２２を個別に安定して保持することができる。【選択図】        図６
2005170478.tif 000002
【特許請求の範囲】
【請求項１】
一側が開口し他側が底面となった有底形状に形成され、底面側に高さ寸法が異なる複数の物品を保持する複数の物品保持部が設けられた容器本体と、該容器本体の開口を施蓋する外蓋とを備えてなる物品包装容器において、
前記容器本体と外蓋との間には前記容器本体内に着脱可能に挿嵌される中蓋を設け、
該中蓋には前記高さ寸法が異なる複数の物品を前記各物品保持部との間で個別に押える複数の物品押えを設ける構成としたことを特徴とする物品包装容器。
【請求項２】
前記中蓋は、前記各物品のうち最も高さ寸法が大きい大形物品の一側を押える大形物品押えと、該大形物品押えを囲んで他側に向け拡径して延びる拡径筒部と、該拡径筒部の先端側から前記容器本体の内壁面に向けて延びる張出し部と、該張出し部と前記拡径筒部との境界部に形成され前記大形物品よりも高さ寸法が小さい小形物品の一側を押える小形物品押えとにより構成してなる請求項１に記載の物品包装容器。
【請求項３】
前記容器本体の底面側には板状の弾性体を設け、該弾性体には、前記各物品のうち最も高さ寸法が大きい大形物品の他側を保持する大形物品保持部と、該大形物品保持部を囲んで配置され前記大形物品よりも高さ寸法が小さい小形物品の他側を保持する小形物品保持部とを設ける構成としてなる請求項１または２に記載の物品包装容器。
【請求項４】
前記外蓋には、前記容器本体の開口を施蓋した状態で該容器本体内に突出し、前記各物品のうち最も高さ寸法が大きい大形物品の一側を前記中蓋を挟んで位置決めする位置決め部を設ける構成としてなる請求項１，２または３に記載の物品包装容器。
【請求項５】
前記容器本体はその開口が楕円形状をなす有底筒状体として形成し、前記外蓋は、前記容器本体の開口を覆う楕円形状の蓋板部と、該蓋板部の外周側に一体形成され前記容器本体の開口側に嵌合する周壁部と、前記蓋板部に一体形成され該周壁部との間で前記容器本体の開口側を挟持する挟持部とにより構成してなる請求項１，２，３または４に記載の物品包装容器。
【請求項６】
前記容器本体と前記中蓋とは、透明な樹脂材料を用いて形成してなる請求項１，２，３，４または５に記載の物品包装容器。
【発明の詳細な説明】
【技術分野】
【０００１】
本発明は、高さ寸法が異なる複数の物品を安定させた状態で収容するのに好適に用いられる物品包装容器に関する。
【背景技術】
【０００２】
一般に、化粧品等が充填された容器、食品、玩具等の複数の物品を輸送する場合には、これら各物品を安定した状態で収容する物品包装容器が用いられる。そして、この種の物品包装容器として、高さ寸法が異なる複数の物品を収容するものが知られている（例えば、特許文献１参照）。
【０００３】
【特許文献１】実用新案登録第３０７０４９５号公報
【０００４】
この従来技術による物品包装容器は、高さ寸法が異なる複数の物品（鶏卵）を収容する容器本体と、該容器本体を施蓋する蓋とにより大略構成され、容器本体の底部側には各物品の下端側を保持する凹陥状の物品保持部が設けられている。そして、この物品包装容器は、容器本体の物品保持部によって各物品の下端側を容器本体の底部から離間させた状態で安定して保持することができ、容器本体の底部からの衝撃が物品に伝わるのを抑えることができる構成となっている。
【発明の開示】
【発明が解決しようとする課題】
【０００５】
ここで、上述した従来技術による物品包装容器は、容器本体に収容された各物品のうち高さ寸法が大きい大形物品については、下端側が物品保持部によって保持されると共に上端側が蓋体に当接することにより、上，下方向の移動（がたつき）を規制することができる。
【０００６】
しかし、各物品のうち高さ寸法が小さい小形物品については、その上端側と蓋体との間に隙間が形成されるため、輸送時における振動等によって各小形物品が位置ずれやがたつきを生じてしまう。
【０００７】
このように、従来技術では、高さ寸法が異なる複数の物品を、単一の物品包装容器内に安定した状態で収容しておくことが難しく、輸送時等において各物品が物品包装容器内で位置ずれ、がたつき等を生じることにより、各物品が損傷してしまうという問題がある。
【０００８】
本発明は上述した従来技術の問題に鑑みなされたもので、高さ寸法が異なる複数の物品を単一の容器本体内に安定した状態で収容することができ、輸送時における各物品の損傷を防止できるようにした物品包装容器を提供することを目的としている。
【課題を解決するための手段】
【０００９】
上述した課題を解決するため本発明は、一側が開口し他側が底面となった有底形状に形成され、底面側に高さ寸法が異なる複数の物品を保持する複数の物品保持部が設けられた容器本体と、該容器本体の開口を施蓋する外蓋とを備えてなる物品包装容器に適用される。
【００１０】
そして、請求項１の発明が採用する構成の特徴は、容器本体と外蓋との間には容器本体内に着脱可能に挿嵌される中蓋を設け、該中蓋には高さ寸法が異なる複数の物品を各物品保持部との間で個別に押える複数の物品押えを設けたことにある。
【００１１】
請求項２の発明は、中蓋は、各物品のうち最も高さ寸法が大きい大形物品の一側を押える大形物品押えと、該大形物品押えを囲んで他側に向け拡径して延びる拡径筒部と、該拡径筒部の先端側から容器本体の内壁面に向けて延びる張出し部と、該張出し部と拡径筒部との境界部に形成され大形物品よりも高さ寸法が小さい小形物品の一側を押える小形物品押えとにより構成したことにある。
【００１２】
請求項３の発明は、容器本体の底面側には板状の弾性体を設け、該弾性体には、各物品のうち最も高さ寸法が大きい大形物品の他側を保持する大形物品保持部と、該大形物品保持部を囲んで配置され大形物品よりも高さ寸法が小さい小形物品の他側を保持する小形物品保持部とを設ける構成としたことにある。
【００１３】
請求項４の発明は、外蓋には、容器本体の開口を施蓋した状態で該容器本体内に突出し、各物品のうち最も高さ寸法が大きい大形物品の一側を中蓋を挟んで位置決めする位置決め部を設ける構成としたことにある。
【００１４】
請求項５の発明は、容器本体はその開口が楕円形状をなす有底筒状体として形成し、外蓋は、容器本体の開口を覆う楕円形状の蓋板部と、該蓋板部の外周側に一体形成され容器本体の開口側に嵌合する周壁部と、蓋板部に一体形成され該周壁部との間で容器本体の開口側を挟持する挟持部とにより構成したことにある。
【００１５】
請求項６の発明は、容器本体と中蓋とは、透明な樹脂材料を用いて形成したことにある。
【発明の効果】
【００１６】
請求項１の発明によれば、高さ寸法が異なる複数の物品を容器本体内に収容し、該各物品を容器本体の底面側に設けられた各物品保持部によってそれぞれ保持した状態で、容器本体内に中蓋を挿嵌することにより、中蓋に形成された各物品押えと容器本体の物品保持部との間で、高さ寸法が異なる各物品を個別に保持することができる。これにより、各物品を、高さ寸法の違いに関わらず容器本体の物品保持部と中蓋の物品押えとの間で安定して保持することができ、各物品を収容した物品包装容器の輸送時等において、各物品が物品包装容器内で位置ずれ、がたつき等を生じるのを抑えることができ、各物品の損傷を確実に防止することができる。しかも、中蓋は容器本体に対して着脱可能となっているので、例えば各物品が整然と収容された物品包装容器を、中蓋を取外した状態で小売店等に陳列することにより、顧客に対する外観の審美性を高めることができる。
【００１７】
請求項２の発明によれば、中蓋を、各物品のうち大形物品の一側を押える大形物品押えと、該大形物品押えを囲んで一側から他側へと拡径して延びる拡径筒部と、該拡径筒部の先端側から容器本体の内壁面に向けて延びる張出し部と、小形物品の一側を押える小形物品押えとにより構成している。このため、容器本体内に収容された大形物品の一側を中蓋の大形物品押えによって押込んだ状態で、これと同時に小形物品の一側を小形物品押えによって押込むことができ、これら大形物品と小形物品とが容器本体内で上，下方向、水平方向にがたつくのを確実に抑えることができる。
【００１８】
また、中蓋には容器本体の内周面に向けて延びる張出し部を設けたので、容器本体が外部からの荷重によって内側に凹むように変形したときに、張出し部が容器本体の内壁面に当接して該容器本体の変形を抑えることができ、容器本体の強度を高めることができる。さらに、大形物品押えと張出し部との間に拡径筒部を設けることにより、容器本体が外部からの荷重を受けて変形したときに中蓋に対してクッション性を与えることができ、中蓋の形状を安定させることができる。
【００１９】
請求項３の発明によれば、容器本体の底面側に設けた弾性体に、大形物品の他側を保持する大形物品保持部と、小形物品の他側を保持する小形物品保持部とを設けたので、大形物品保持部によって大形物品の他側を弾性的に保持すると共に、小形物品保持部によって小形物品の他側を弾性的に保持することができる。これにより、大形物品の他側と小形物品の他側とを確実に保持することができ、かつ、輸送時等において容器本体から各物品に伝わる振動を緩衝することができる。また、大形物品保持部に対する大形物品の着脱と、小形物品保持部に対する着脱とを容易に行なうことができる。
【００２０】
請求項４の発明によれば、容器本体内に各物品を収容すると共に中蓋を挿嵌した状態で、容器本体の開口を外蓋によって施蓋すると、外蓋に設けた位置決め部が容器本体内に突出し、この位置決め部が中蓋を挟んで大形物品の一側を容器本体内で位置決めする。これにより、物品包装容器の輸送時等において、中蓋の大形物品押えによって押えられた大形物品の位置ずれを抑えることができ、中蓋の小形物品押えによって押えられた小形物品の位置ずれを抑えることができる。
【００２１】
請求項５の発明によれば、容器本体を楕円形状をなす有底筒状体として形成することにより、物品包装容器の外観に丸みを与えてその美観を高めることができ、各物品を含めた物品包装容器全体の意匠的な効果を高めることができる。また、外蓋の周壁部が容器本体の開口側に嵌合することにより、容器本体の開口を外蓋によって確実に施蓋しておくことができる。さらに、容器本体の開口側を外蓋によって施蓋したときに、外蓋の周壁部と挟持部との間で容器本体の開口側を挟持することにより、楕円形状をなす容器本体の開口に対して外蓋が回転するのを抑え、この外蓋が不用意に容器本体から離脱してしまうのを防止することができる。
【００２２】
請求項６の発明によれば、容器本体と中蓋とを透明な樹脂材料を用いて形成している。これにより、容器本体内に整然と並んで配置された各物品を外部から目視することができ、顧客に与える外観の審美性を高めることができる。また、各物品のうちいずれかを容器本体内に収容し忘れた場合でも、この欠品を容器本体の外部から容易に判別することができ、容器本体内に所定の物品を確実に収容することができる。
【発明を実施するための最良の形態】
【００２３】
以下、本発明に係る物品包装容器の実施の形態を、高さ寸法が異なる複数の化粧品用の容器を包装（収容）する場合を例に挙げ、図１ないし図７を参照しつつ詳細に説明する。
【００２４】
図中、１は本実施の形態による物品包装容器を示し、該物品包装容器１は、後述する大形容器２１と複数の小形容器２２とを一緒に収容するもので、後述の容器本体２と、外蓋９と、中蓋１４とにより大略構成されている。
【００２５】
２は物品包装容器１の本体部を構成する容器本体で、該容器本体２は、その内部に高さ寸法が異なる大形容器２１と各小形容器２２とを一緒に収容するものである。
【００２６】
ここで、容器本体２は、一側（上側）が開口３Ａとなって上，下方向に延びる筒状の側面部３と、該側面部３の他側（下側）に固着して設けられた楕円形状をなす平板状の底面部４とにより、全体として楕円形状をなす有底筒状体として形成されている。また、側面部３の下側には楕円形状をなす枠体５が外側から嵌合して設けられ、該枠体５は、容器本体２の下端側を補強すると共に、物品包装容器１内に収容された物品の商品名等を表示するものである。
【００２７】
ここで、容器本体２の側面部３は、例えばポリエチレンテレフタレート、ポリプロピレン、ポリスチレン等の透明な合成樹脂材料等からなる弾性シート材を用いて形成され、容器本体２内に収容された大形容器２１、各小形容器２２等を外部から目視できるようになっている。また、容器本体２の底面部４から開口３Ａまでの高さ寸法は、大形容器２１の高さ寸法とほぼ等しいか、若干大きく設定されている。さらに、容器本体２を楕円形状をなす有底筒状体として形成することにより、物品包装容器１の外観に丸みを与え、その美観を高めることができる構成となっている。
【００２８】
６は容器本体２の底面部４側に設けられた容器保持部材で、該容器保持部材６は、図３及び図４等に示すように、例えば発泡樹脂材料等の可撓性を有する弾性体を用いて、容器本体２の底面部４とほぼ等しい楕円形状を有する板状体として形成されている。
【００２９】
ここで、容器保持部材６には、その中央部に配置され大形容器２１の下端側が弾性的に嵌合する大形物品保持部としての大形物品嵌合凹部７と、該大形物品嵌合凹部７を取囲んで放射状に配置され、小形容器２２の下端側が弾性的に嵌合する複数（例えば、７個）の小形物品保持部としての小形物品嵌合凹部８，８，…とが形成されている。そして、容器保持部材６は、容器本体２の底面部４側に固定して設けられ、大形物品嵌合凹部７によって大形容器２１の下端側を弾性的に保持すると共に、各小形物品嵌合凹部８によって小形容器２２の下端側をそれぞれ弾性的に保持する。
【００３０】
９は容器本体２の開口３Ａを施蓋する外蓋で、該外蓋９は、図３等に示すように、容器本体２の開口３Ａを覆う楕円形状の蓋板部１０と、該蓋板部１０の外周側に設けられた周壁部１１と、後述の位置決め部１２と、各挟持部１３とにより大略構成されている。そして、外蓋９は、例えばポリエチレンテレフタレート、ポリプロピレン、ポリスチレン等の合成樹脂材料を着色剤で着色し、半透明に成形加工したものである。
【００３１】
ここで、外蓋９の周壁部１１は、蓋板部１０の外周側から全周に亘って下向きに折曲げられ、側面部３の開口３Ａ側に外側から嵌合するものである。従って、外蓋９の蓋板部１０によって容器本体２の開口３Ａを覆った状態で、周壁部１１が側面部３の開口３Ａ側に嵌合することにより、外蓋９が容器本体２から外れるのを防止し、容器本体２の開口３Ａを閉塞状態に保つことができる。
【００３２】
１２は蓋板部１０の中央部に設けられたほぼコ字状の位置決め部で、該位置決め部１２は、蓋板部１０の中央部をその上面側から下向きにコ字状に凹ませることにより該蓋板部１０に一体形成され、容器保持部材６の中央部に設けた大形物品嵌合凹部３Ａと上，下方向で対向している。ここで、位置決め部１２は、外蓋９の周壁部１１に沿って左，右方向に延びる長手部１２Ａと、該長手部１２Ａの両端側から直角に折曲げられ左，右方向で対向する左，右の折曲部１２Ｂ，１２Ｂとからコ字状に形成され、外蓋９によって容器本体２の開口３Ａを施蓋したときに、蓋板部１０の下面１０Ａから容器本体２内に突出するものである。
【００３３】
そして、位置決め部１２の長手部１２Ａと各折曲部１２Ｂとは、容器保持部材６の大形物品嵌合凹部７に下端側を保持された大形容器２１の上端側を、後述する中蓋１４の大形物品押え１５を挟んで取囲む。これにより、容器本体２内に収容された大形容器２１の上端側を、位置決め部１２によって容器本体２内で位置決めし、この大形容器２１の上端側が、輸送時における振動等によって容器本体２内で上，下方向、水平方向にがたつくのを抑える構成となっている。
【００３４】
１３，１３は位置決め部１２を挟んで外蓋９の幅方向の両側に設けられた一対の挟持部で、これら各挟持部１３は、楕円形状をなす蓋板部１０の短軸に対してほぼ直交するように延びている。ここで、各挟持部１３は、蓋板部１０の幅方向の両側をその上面側から下向きに凹ませることにより形成され、図７に示すように、外蓋９によって容器本体２の開口３Ａを施蓋したときに、蓋板部１０の下面１０Ａから容器本体２内に突出し、周壁部１１と僅かな隙間をもって対向するものである。
【００３５】
そして、各挟持部１３は、外蓋９によって容器本体２の開口３Ａを施蓋した状態で、周壁部１１との間で容器本体２の開口３Ａ側を挟持する。これにより、外蓋９の周壁部１１と各挟持部１３とが、楕円形状をなす容器本体２の開口３Ａに対して外蓋９が回転してしまうのを抑え、この外蓋９が不用意に容器本体２から離脱してしまうのを防止する構成となっている。
【００３６】
１４は容器本体２と外蓋９との間に位置して容器本体２内に着脱可能に挿嵌される中蓋で、該中蓋１４は、例えば物品包装容器１の輸送時等において容器本体２内に配置されることにより、大形容器２１と各小形容器２２とを容器本体２内で安定した収容状態に保持するものである。また、中蓋１４は、輸送された物品包装容器１を小売店等に陳列するときには、容器本体２から取外しても構わない。
【００３７】
ここで、中蓋１４は、図３及び図５等に示すように、後述の大形物品押え１５、拡径筒部１６、張出し部１７、各小形物品押え１８とにより大略構成されている。そして、中蓋１４は、例えばポリエチレンテレフタレート、ポリプロピレン、ポリスチレン等の透明な合成樹脂材料を用いて一体形成され、容器本体２内に収容された大形容器２１、各小形容器２２を中蓋１４を通じて外部から目視できるようになっている。
【００３８】
１５は中蓋１４の上端側に設けられた大形物品押えで、該大形物品押え１５は、後述する大形容器２１に設けられたキャップ２１Ｂの上面に当接する蓋部１５Ａと、該蓋部１５Ａから下向きに延びキャップ２１Ｂの外周面に外側から嵌合する側面部１５Ｂとにより有蓋筒状に形成されている。
【００３９】
そして、大形物品押え１５は、容器本体２内に収容された大形容器２１のキャップ２１Ｂに上方から嵌合することにより、大形容器２１を容器保持部材６の大形物品嵌合凹部７との間で押えるものである。また、図６及び図７に示すように、大形物品押え１５は、容器本体２の開口３Ａを外蓋９によって施蓋した状態で、外蓋９の位置決め部１２によって外周側から取囲まれる構成となっている。
【００４０】
１６は大形物品押え１５を囲んで下方に向け傘状に延びる拡径筒部で、該拡径筒部１６は、その上端側が大形物品押え１５の側面部１５Ｂに接続され、下端側が容器本体２の上，下方向の途中部位まで延びている。ここで、拡径筒部１６は、上端側から下端側に向けて徐々に拡径する拡径筒状に形成されている。そして、全体として傘状をなした拡径筒部１６は、容器本体２が外部からの荷重を受けて変形したときに中蓋１４に対してクッション性を与え、中蓋１４の形状を安定させるものである。
【００４１】
１７は拡径筒部１６の下端側（先端側）から容器本体２を構成する側面部３の内壁面３Ｂに向けて延びる張出し部で、該張出し部１７は、容器本体２の開口３Ａよりも一回り小さい楕円形状をなし、側面部３の内壁面３Ｂに向けてほぼ水平方向に延びている。そして、張出し部１７の外周側には、全周に亘って下向きに折曲げられた折曲片１７Ａが形成され、該折曲片１７Ａは側面部３の内壁面３Ｂに僅かな隙間をもって対面している。そして、張出し部１７は、容器本体２の側面部３が外部からの荷重によって内側に凹むように変形したときに、この側面部３の内壁面３Ｂに折曲片１７Ａを当接させることにより、容器本体２の変形を抑え、該容器本体２を内側から補強するものである。
【００４２】
１８，１８，…は張出し部１７と拡径筒部１６との境界部に設けられた複数の小形物品押えで、これら各小形物品押え１８は、大形物品押え１５を取囲んで放射状に配置されている。ここで、各小形物品押え１８は、後述する小形容器２２に設けられたキャップ２２Ｂの上面を上方から覆う蓋部１８Ａと、該蓋部１８Ａから下向きに延びキャップ２２Ｂの外周面に外側から嵌合する側面部１８Ｂとにより有蓋筒状に形成されている。
【００４３】
そして、各小形物品押え１８は、容器本体２内に収容された小形容器２２のキャップ２２Ｂに上方から嵌合することにより、各小形容器２２を容器保持部材６の各小形物品嵌合凹部８との間で個別に押えるものである。
【００４４】
２１は物品包装容器１内に収容される物品のうち高さ寸法が最も大きい大形物品としての大形容器で、該大形容器２１は、内部に美容液等の液体（図示せず）が充填されたほぼ円筒状のボトル２１Ａと、ボトル２１Ａの上端側を施蓋する円筒状のキャップ２１Ｂとにより大略構成されている。
【００４５】
２２，２２，…は物品包装容器１内に収容される物品のうち高さ寸法が小さい小形物品としての複数の小形容器で、これら各小形容器２２は、内部に化粧水等の液体（図示せず）が充填された楕円筒状のボトル２２Ａと、ボトル２２Ａの上端側を施蓋する円筒状のキャップ２２Ｂとにより大略構成されている。
【００４６】
この場合、各小形容器２２内に充填された化粧水は、大形容器２１内に充填された美容液を使用する前段階において、予め肌等に塗布するためのものである。従って、これら大形容器２１と各小形容器２２とは、単一の物品包装容器１内に一緒に収容された状態で、小売店等に陳列されるようになっている。
【００４７】
そして、図１に示すように、大形容器２１と各小形容器２２とを容器本体２内に収容すると共に該容器本体２内に中蓋１４を挿嵌し、容器本体２の開口３Ａを外蓋９によって施蓋した状態において、大形容器２１は、容器保持部材６の大形物品嵌合凹部７と中蓋１４の大形物品押え１５との間で安定した状態に保持され、各小形容器２２は、容器保持部材６の小形物品嵌合凹部８と中蓋１４の小形物品押え１８との間で個別に安定した状態に保持されるものである。
【００４８】
本実施の形態による物品包装容器１は上述の如き構成を有するもので、次に、物品包装容器１内に、大形容器２１と各小形容器２２とを収容する作業について説明する。
【００４９】
まず、容器本体２の底面部４に容器保持部材６を固定した状態で、容器本体２の開口３Ａを通じて該容器本体２内に大形容器２１を挿入する。そして、大形容器２１のボトル２１Ａの下端側を、容器保持部材６の大形物品嵌合凹部７に嵌合させる。
【００５０】
また、容器本体２の開口３Ａを通じて該容器本体２内に各小形容器２２を挿入し、各小形容器２２のボトル２２Ａの下端側を、容器保持部材６の各小形物品嵌合凹部８にそれぞれ嵌合させる。これにより、容器本体２内には、その中央部に大形容器２１が直立した状態で収容されると共に、大形容器２１を取囲んで複数の小形容器２２が直立した状態で整然と収容される。
【００５１】
この場合、容器保持部材６は発泡樹脂材料等の弾性体を用いて形成されているので、大形容器２１の下端側を大形物品嵌合凹部７内に隙間なく嵌合させることにより該大形容器２１を弾性的に保持することができる。また、各小形容器２２の下端側を小形物品嵌合凹部８内に隙間なく嵌合させることにより該各小形容器２２を弾性的に保持することができる。
【００５２】
これにより、大形容器２１と各小形容器２２とを、容器保持部材６によって直立させた状態で確実に保持することができ、また、輸送時等における外部からの振動が大形容器２１、各小形容器２２に伝わるのを容器保持部材６の弾性によって緩衝することができる。さらに、大形容器２１を容器保持部材６の大形物品嵌合凹部７に対して抜き差しする作業と、各小形容器２２を容器保持部材６の小形物品嵌合凹部８に対して抜き差しする作業とを容易に行なうことができる。
【００５３】
次に、容器本体２内に大形容器２１と各小形容器２２とを収容した状態で、容器本体２内に中蓋１４を挿嵌する。そして、図６及び図７に示すように、中蓋１４の大形物品押え１５を、大形容器２１のキャップ２１Ｂに上方から嵌合させ、大形物品押え１５の蓋部１５Ａをキャップ２１Ｂの上面に当接させる。これにより、中蓋１４の各小形物品押え１８は、各小形容器２２のキャップ２２Ｂに上方から嵌合する。
【００５４】
このとき、中蓋１４を構成する張出し部１７の外周側に設けた折曲片１７Ａは、容器本体２を構成する側面部３の内壁面３Ｂに僅かな隙間をもって対面する。これにより、例えば容器本体２の側面部３が外部からの荷重によって内側に凹むように変形したとしても、この側面部３の内壁面３Ｂが張出し部１７の折曲片１７Ａに当接することにより、容器本体２が大きく変形するのを抑えることができる。従って、容器本体２の変形によって中蓋１４が容器本体２内で位置ずれするのを抑え、中蓋１４の大形物品押え１５によって大形容器２１の上端側を確実に押えると共に、中蓋１４の小形物品押え１８によって各小形容器２２の上端側を確実に押えることができる。
【００５５】
このように、大形容器２１を、容器保持部材６の大形物品嵌合凹部７と中蓋１４の大形物品押え１５との間で保持すると共に、複数の小形容器２２を、容器保持部材６の各小形物品嵌合凹部８と中蓋１４の各小形物品押え１８との間で個別に保持することにより、大形容器２１と各小形容器２２とを、容器本体２内に安定して収容することができる。
【００５６】
また、例えば容器本体２の側面部３が外部からの荷重によって内側に凹むように変形したとしても、張出し部１７の折曲片１７Ａが容器本体２の側面部３に内接することにより、容器本体２を内側から補強することができ、容器本体２の変形を最小限に抑えることができる。しかも、中蓋１４の大形物品押え１５と張出し部１７との間には傘状をなした拡径筒部１６が設けられているので、容器本体２が外部からの荷重を受けて変形したときに、拡径筒部１６によって中蓋１４に対してクッション性を与えることにより、中蓋１４の形状を安定させることができ、容器本体２全体の強度を一層高めることができる。
【００５７】
次に、容器本体２内に中蓋１４を挿嵌した状態で、容器本体２の開口３Ａを外蓋９によって施蓋する。このとき、図６及び図７に示すように、外蓋９の蓋板部１０に設けた位置決め部１２が、蓋板部１０の下面１０Ａから容器本体２内に突出し、この位置決め部１２の長手部１２Ａと各折曲部１２Ｂとが、大形容器２１のキャップ２１Ｂの上端側を、中蓋１４の大形物品押え１５を介して取囲む。
【００５８】
これにより、大形容器２１の上端側を、位置決め部１２によって容器本体２のほぼ中央部に位置決めすることができ、この大形容器２１の上端側が、輸送時における振動等によって容器本体２内で上，下方向、水平方向にがたつくのを抑えることができる。
【００５９】
一方、外蓋９によって容器本体２の開口３Ａを施蓋した状態で、外蓋９の蓋板部１０に設けた各挟持部１３は、蓋板部１０の下面１０Ａから容器本体２内に突出し、周壁部１１との間で容器本体２の側面部３の上端側を挟持する。これにより、外蓋９の周壁部１１と各挟持部１３とによって、外蓋９が楕円形状をなす容器本体２の開口３Ａに対して回転するのを抑えることができ、この外蓋９が不用意に容器本体２から離脱してしまうのを防止することができる。
【００６０】
このようにして、大形容器２１と各小形容器２２とを容器本体２内に収容すると共に該容器本体２内に中蓋１４を挿嵌し、容器本体２の開口３Ａを外蓋９によって施蓋することにより、大形容器２１を、容器保持部材６の大形物品嵌合凹部７と中蓋１４の大形物品押え１５との間で安定して保持することができると共に、各小形容器２２を、容器保持部材６の小形物品嵌合凹部８と中蓋１４の小形物品押え１８との間で個別に安定して保持することができる。
【００６１】
従って、高さ寸法が異なる大形容器２１と各小形容器２２とを、単一の物品包装容器１内に一緒に収容し、この物品包装容器１を小売店等に輸送する場合でも、輸送時の振動等によって大形容器２１、各小形容器２２が位置ずれ、がたつき等を生じて損傷するのを確実に防止することができ、これら大形容器２１と各小形容器２２とを、物品包装容器１内に安定して収容しておくことができる。
【００６２】
そして、物品包装容器１を小売店等に輸送した後には、容器本体２から中蓋１４を取外すことにより、大形容器２１と各小形容器２２とが整然と並んで配置された物品包装容器１を小売店に陳列することができる。この場合、容器本体２の側面部３は、透明な合成樹脂材料を用いて形成されているので、物品包装容器１内に整然と並んで配置された大形容器２１、各小形容器２２を外部から目視することができ、顧客に与える外観の審美性を高めることができる。
【００６３】
また、容器本体２は楕円形状をなす有底筒状体として形成されているので、物品包装容器１全体の外観に丸みを与えることができ、大形容器２１、各小形容器２２を含めた物品包装容器１全体の意匠的な効果を高めることができる。
【００６４】
一方、中蓋１４も透明な合成樹脂材料を用いて形成されているので、容器本体２内に収容された大形容器２１、各小形容器２２を、容器本体２の側面部３、中蓋１４を通じて外部から目視することができる。これにより、例えば大形容器２１、各小形容器２２のうちいずれかを容器本体２内に収容し忘れた場合でも、この欠品を外部から容易に判別することができ、物品包装容器１内に所定の大形容器２１、各小形容器２２を確実に収容することができる。
【００６５】
なお、上述した実施の形態では、容器本体２を、筒状の側面部３と、該側面部３の下側に固着された楕円形状の底面部４とによって構成した場合を例示している。しかし、本発明はこれに限るものではなく、例えば側面部３と底面部４とを一体形成してもよい。
【００６６】
また、上述した実施の形態では、容器本体２の底面部４に弾性体からなる容器保持部材６を固定して設けた場合を例示している。しかし、本発明はこれに限らず、例えば容器保持部材６を側面部３の下端側に固定することにより、容器保持部材６が容器本体２の底面部を兼用する構成としてもよい。
【００６７】
また、上述した実施の形態では、中蓋１４の張出し部１７を、容器本体２の開口３Ａよりも一回り小さい楕円形状に形成し、該張出し部１７の外周側に設けた折曲片１７Ａが容器本体２の側面部３と僅かな隙間をもって対面する構成としている。しかし、本発明はこれに限らず、例えば張出し部１７を容器本体２の開口３Ａとほぼ等しい楕円形状に形成し、該張出し部１７の外周側に設けた折曲片１７Ａを、容器本体２を構成する側面部３の内壁面３Ｂに常時当接させる構成としてもよい。
【００６８】
また、上述した実施の形態では、物品包装容器１内に、高さ寸法が異なる大形容器２１と小形容器２２との２種類の物品を収容する場合を例示している。しかし、本発明はこれに限らず、例えば互いに高さ寸法が異なる３種類以上の物品を収容する構成としてもよい。
【００６９】
また、上述した実施の形態では、容器本体２の側面部３、中蓋１４を形成する素材として透明な合成樹脂材料を用いた場合を例示している。しかし、本発明はこれに限らず、例えば不透明な材料、あるいは着色剤等で着色した半透明な材料を用いてもよい。また、これとは逆に、外蓋９を透明な合成樹脂材料を用いて形成してもよい。
【００７０】
さらに、上述した実施の形態では、物品包装容器１内に収容する物品として大形容器２１、小形容器２２を例示している。しかし、本発明はこれに限らず、例えば薬品、食品、玩具等の高さ寸法が異なる複数の物品を一緒に収容する場合に広く適用することができる。
【図面の簡単な説明】
【００７１】
【図１】本発明の実施の形態による物品包装容器、大形容器、小形容器を示す一部破断の正面図である。
【図２】物品包装容器を上方からみた平面図である。
【図３】容器本体、容器保持部材、中蓋、外蓋等を分解して示す物品包装容器の分解斜視図である。
【図４】容器保持部材を大形容器、小形容器と共に示す斜視図である。
【図５】中蓋を大形容器、小形容器と共に示す斜視図である。
【図６】容器本体、容器保持部材、中蓋、外蓋、大形容器、小形容器を図２中の矢示VI−VI方向からみた縦断面図である。
【図７】容器本体、容器保持部材、中蓋、外蓋、大形容器、小形容器を図２中の矢示VII−VII方向からみた縦断面図である。
【符号の説明】
【００７２】
１  物品包装容器
２  容器本体
３  側面部
３Ａ  開口
３Ｂ  内壁面
４  底面部
６  容器保持部材
７  大形物品嵌合凹部（大形物品保持部）
８  小形物品嵌合凹部（小形物品保持部）
９  外蓋
１０  蓋板部
１１  周壁部
１２  位置決め部
１３  挟持部
１４  中蓋
１５  大形物品押え（物品押え）
１６  拡径筒部
１７  張出し部
１８  小形物品押え（物品押え）
２１  大形容器（大形物品）
２２  小形容器（小形物品）
【図１】
2005170478.tif 000003
【図２】
2005170478.tif 000004
【図３】
2005170478.tif 000005
【図４】
2005170478.tif 000006
【図５】
2005170478.tif 000007
【図６】
2005170478.tif 000008
【図７】
2005170478.tif 000009